(57)【要約】【課題】癌、腫瘍等の病気の予防に役立つと共に、癌、腫瘍等の病気の治癒に役立つペットフードを提供する。【解決手段】ペットフードは、アガリクス茸を含む混合組成物からなるものとする。好ましくは、ペットフードは、動物の肉、野菜、果物およびアガリクス茸を含む混合組成物からなるものとする。アガリクス茸の含有割合は、混合組成物全体に対して０．００１〜０．１質量％の範囲に設定するのが好ましい。【選択図】  なし【特許請求の範囲】
【請求項１】
アガリクス茸を含む混合組成物からなることを特徴とするペットフード。
【請求項２】
動物の肉類、野菜、果物およびアガリクス茸を含む混合組成物からなることを特徴とするペットフード。
【請求項３】
混合組成物全体に対してアガリクス茸の含有割合が０．００１〜０．１質量％である請求項１または２に記載のペットフード。
【請求項４】
犬用ペットフードまたは猫用ペットフードとして用いられる請求項１〜３のいずれか１項に記載のペットフード。
【発明の詳細な説明】
【０００１】
【発明の属する技術分野】
この発明は、犬用又は猫用として好適に用いられる制癌作用を有するペットフードに関する。
【０００２】
【従来の技術】
犬用等のペットフードとしては、鳥獣骨及びカゼインを含む組成物からなる成形物（特許文献１参照）、乾燥魚介類、乾燥肉類、乾燥海藻類の少なくとも１種を含有してなるもの（特許文献２参照）等様々な種類のものが知られている。
【０００３】
【特許文献１】
特開平５−１５３１５号公報（請求項１）
【０００４】
【特許文献２】
特開２００１−２５８４８２号公報（請求項１）
【０００５】
【発明が解決しようとする課題】
ところで、ペットとして飼われている動物、中でも特に犬は、癌、腫瘍等の病気に比較的罹患しやすく、このような重篤な病気により死亡するケースも多い。近年、犬等のペットを飼うことによるペットとの触れ合いの中で、飼い主の心が癒されたり、老齢者のぼけ防止や身体機能の回復に効果がある等人間に与える様々な効用が注目されているが、一般にこのようなペットが死亡した場合には飼い主等の精神的ダメージは非常に大きいことから、可能な限りこれら犬等のペットを健康な状態で長生きさせることが望まれている。
【０００６】
癌、腫瘍等の病気は、ストレスをはじめとした様々な要因が複合的に関わりあって発生するとされているが、ペットが毎日摂取する食べ物の影響も無視できない。しかしながら、従来は、このような視点に立って作られたペットフードはなかった。即ち、従来は、癌、腫瘍等の病気の予防に役立つペットフードはなかったし、発病した癌、腫瘍等の病気の治癒に貢献できるペットフードも存在しなかった。
【０００７】
この発明は、かかる技術的背景に鑑みてなされたものであって、癌、腫瘍等の病気の予防に役立つと共に、癌、腫瘍等の病気の治癒に役立つペットフードを提供することを目的とする。
【０００８】
【課題を解決するための手段】
上記目的は、以下の発明により達成される。
【０００９】
即ち、この発明に係るペットフードは、アガリクス茸を含む混合組成物からなることを特徴とする。このペットフードは、アガリクス茸を含有しているので、癌、腫瘍等の病気の予防に役立ち得るし、癌、腫瘍等の病気の治癒にも効果がある。
【００１０】
また、この発明の別のペットフードは、動物の肉類、野菜、果物およびアガリクス茸を含む混合組成物からなることを特徴とする。このペットフードは、アガリクス茸を含有しているので、癌、腫瘍等の病気の予防に役立ち得るし、癌、腫瘍等の病気の治癒にも効果がある。更に、動物の肉類、野菜、果物も含有しているので、これらの相乗的な作用によって前記予防効果及び治癒効果をより高めることができる。
【００１１】
この発明において、アガリクス茸の含有割合は、混合組成物全体に対して０．００１〜０．１質量％の範囲に設定されるのが好ましい。
【００１２】
この発明のペットフードは、犬用ペットフードまたは猫用ペットフードとして好適に用いられる。
【００１３】
【発明の実施の形態】
この発明に係るペットフードは、アガリクス茸を含む混合組成物からなるものである。このペットフードは、アガリクス茸を含有しているので、ペットに給餌することで、癌、腫瘍等の病気の予防に役立ち得るし、癌、腫瘍等の病気の治癒にも効果が得られる。
【００１４】
前記アガリクス茸としては、例えばアガリクス茸の粉砕物を用いても良いし、アガリクス茸を粉状にしたものを用いても良いし、或いはアガリクス茸の抽出物を用いるようにしても良く、混合形態は特に限定されない。
【００１５】
この発明において、前記アガリクス茸の他に、動物の肉類、野菜及び果物を混合してペットフードを製造するのが好ましい。これら動物の肉類、野菜、果物を含有させることによって、相乗的な作用によって前記予防効果及び治癒効果をより高めることができる利点がある。
【００１６】
前記動物の肉類としては、動物の食肉の他に、動物の頭部、骨、内臓、皮、その他の処理残さ等が挙げられる。具体的には、例えば牛肉、豚肉、羊肉、鶏肉、魚肉、牛の内臓、鶏の内臓、豚の頭部等が挙げられるが、特にこれらに限定されない。
【００１７】
前記野菜としては、特に限定されるものではないが、例えば人参、エンドウ豆、ほうれん草、レタス、キャベツ、ピーマン等が挙げられる。
【００１８】
前記果物としては、特に限定されるものではないが、例えばりんご、クランベリー、オレンジ、ぶどう、梨、いちご、桃、パイナップル、キーウイ等が挙げられる。
【００１９】
更に、前記混合組成物には、アガリクス茸、動物の肉類、野菜及び果物のほかに、例えば穀物類（トウモロコシ、小麦、大麦、米等）、油脂類、ビタミン類、ミネラル類、卵、食塩、調味料等を混合せしめても良い。
【００２０】
この発明において、前記アガリクス茸の含有割合は、前記混合組成物全体に対して０．００１〜０．１質量％の範囲に設定されるのが好ましい。０．００１質量％未満では前記予防効果や治癒効果が得られ難くなるので好ましくないし、一方０．１質量％を超えても単にアガリクス茸の使用量が増大するだけで効果の増大は望めず徒にコストを増大させるだけであるので好ましくない。中でも、アガリクス茸の含有割合は、前記混合組成物全体に対して０．００２〜０．０８質量％の範囲に設定されるのが好ましく、特に好ましい範囲は０．００４〜０．０６質量％である。
【００２１】
この発明のペットフードの形状は、特に限定されず、どのような形状としても良い。具体的には、例えば粉状、粒状、球状、ペレット状、フレーク状、スティック状、ドーナツ状、動物の骨の形状等が挙げられる。また、このような特定の成形形状に形成せず、いわゆるウェットタイプ（ペースト状、液状）のものに構成しても良い。
【００２２】
この発明のペットフードは、例えば次のようにして製造される。まず、前記混合組成物を必要に応じて破砕した後、混練等により均一に混合せしめ、次いで押出法、プレス法などの成形方法により所望の形状に成形することでペットフードが得られる。
【００２３】
なお、上記製造方法はその一例を示したに過ぎず、この発明のペットフードは、上記例示の製造方法で製造されるものに特に限定されるものではない。
【００２４】
この発明のペットフードをペットに与える量としては、１日当たり２５〜６５ｇ／体重ｋｇが目安であるが、特にこのような範囲に限定はされない。
【００２５】
【実施例】
次に、この発明の具体的実施例について説明する。
（ペットフードの製造）
表１に示す各種材料（成分）を表１に示す組成比（質量比）で配合して得られた組成物を破砕機で粉砕し、ミキサーにより十分に混練を行った後、粒状に成形してペットフードを得た。
【００２６】
【表１】
2004313053.tif 000002
【００２７】
＜実施例１〜２８＞
表２〜４に示す特徴を有した（病状を呈した）各給餌対象動物に対して、上記ペットフードを１日当たり３５ｇ／体重ｋｇを目安にして与えた。なお、給餌は１日に３回行うものとした。表２〜４に示す期間処方し続けた後、その時点での「生活水準」、「制癌効果」について下記評価基準に基づき評価した。これらの評価結果を表２〜４に示した。
【００２８】
＜生活水準の評価基準＞
「Ａ」…十分な改善が認められる（処方前と比較して活動が非常に活発になり食欲も十分にある状態）
「Ｂ」…ある程度の改善が認められる（処方前と比較して活動が少し活発になり食欲もある状態）
「Ｃ」…変化が認められない（処方前と比較して良化も悪化もしていない状態）
「Ｄ」…悪化が認められる（処方前と比較して活動が低下した状態）。
【００２９】
＜制癌（腫瘍）効果の評価基準＞
「Ａ」…癌（腫瘍）抑制に対して効果が十分に認められた
「Ｂ」…癌（腫瘍）抑制に対してある程度の効果が認められた
「Ｃ」…癌（腫瘍）抑制に対して効果が殆ど認められなかった
【００３０】
【表２】
2004313053.tif 000003
【００３１】
【表３】
2004313053.tif 000004
【００３２】
【表４】
2004313053.tif 000005
【００３３】
表２〜４の結果から、この発明のペットフードを犬や猫に給餌し続けることによって、癌（腫瘍）抑制の効果が得られると共に、癌（腫瘍）の病状を呈した犬や猫の生活水準を顕著に改善できることが明らかとなった。また、副作用的な所見も認められなかった。従って、この発明のペットフードをペットに給餌することにより、癌、腫瘍等の病気の予防を図ることができるし、また癌、腫瘍等の病気になった場合でも該ペットフードを給餌することにより病気の治癒に貢献することができる。
【００３４】
【発明の効果】
請求項１のペットフードは、アガリクス茸を含有しているので、癌、腫瘍等の病気の予防に役立ち得るし、癌、腫瘍等の病気の治癒にも効果がある。
【００３５】
請求項２のペットフードは、アガリクス茸を含有しているので、癌、腫瘍等の病気の予防に役立ち得るし、癌、腫瘍等の病気の治癒にも効果がある。更に、動物の肉類、野菜、果物も含有しているので、これらの相乗的な作用によって前記予防効果及び治癒効果をより高めることができる。
【００３６】
請求項３の発明によれば、前記予防効果及び治癒効果の十分にあるものが低コストで提供される。
【００３７】
請求項４のペットフードは、これを犬または猫に給餌することにより、犬または猫が癌、腫瘍等の病気に罹患するのを予防できるし、癌、腫瘍等の病気の治癒にも貢献できる。